(57)【要約】【課題】個人ごとの情報を蓄積せずに、機能等の設定を個人の特性に合わせて変更できる情報処理装置及びプログラムを提供する。【解決手段】動作に関わる少なくとも一つの設定項目について、それぞれ設定値の入力を受け入れ、受け入れた設定値の集合に対して、当該設定値の集合を識別する識別情報の入力を受け入れ、受け入れた識別情報と、設定値の集合とを関連付けて格納する。設定値の集合に係る識別情報を指定した設定指示により、当該指定された識別情報によって特定される設定値の集合に基づき、当該集合に含まれる設定値に係る各設定項目の設定を行う情報処理装置である。【選択図】図１
2008084067.tif 000002
【特許請求の範囲】
【請求項１】
動作に関わる少なくとも一つの設定項目について、それぞれ設定値の入力を受け入れる手段と、
前記受け入れた設定値の集合に対して、当該設定値の集合を識別する識別情報の入力を受け入れる手段と、
前記受け入れた識別情報と、設定値の集合とを関連付けて格納する手段と、
設定値の集合に係る識別情報を指定した設定指示により、当該指定された識別情報によって特定される設定値の集合に基づき、当該集合に含まれる設定値に係る各設定項目の設定を行う設定手段と、
を含むことを特徴とする情報処理装置。
【請求項２】
前記設定手段は、設定値の集合に係る識別情報を複数指定した設定指示により、当該指定された各識別情報によって特定される各設定値の集合に基づき、当該集合のそれぞれに含まれる設定値に係る各設定項目の設定を行うことを特徴とする請求項１に記載の情報処理装置。
【請求項３】
情報処理装置に、
動作に関わる少なくとも一つの設定項目について、それぞれ設定値の入力を受け入れる手順と、
前記受け入れた設定値の集合に対して、当該設定値の集合を識別する識別情報の入力を受け入れる手順と、
前記受け入れた識別情報と、設定値の集合とを関連付けて格納する手順と、
設定値の集合に係る識別情報を指定した設定指示により、当該指定された識別情報によって特定される設定値の集合に基づき、当該集合に含まれる設定値に係る各設定項目の設定を行う設定手順と、
を実行させることを特徴とするプログラム。
【発明の詳細な説明】
【技術分野】
【０００１】
本発明は、情報処理装置及びプログラムに関する。
【背景技術】
【０００２】
近年では、個人用のコンピュータシステム（パーソナルコンピュータ）をはじめ、スキャナやプリンタなど、数多くの情報処理装置が広く利用されている。こうした情報処理装置のうちには、例えばスキャナ、プリンタ、複写機、ファクシミリなどの機能を複合的に備えた、いわゆる複合機などのように、コンビニエンスストアや、企業などにおいて、複数の利用者の共用に供されるものもある。
【０００３】
特許文献１には、複合機等の機能に関わる設定を個人の特性に合わせて変更する方法として、入力操作を必要とせずに情報機器を操作するオペレータを識別する識別手段と、オペレータ毎の操作履歴を保存する操作履歴保存手段と、この操作履歴保存手段により保存された操作履歴を参照して、前記識別手段により識別されたオペレータに対応した操作環境を設定する手段とを具備したシステムが開示されている。
【特許文献１】特開２０００−２５９３０７号公報
【発明の開示】
【発明が解決しようとする課題】
【０００４】
一方で近年では、個人情報の保護の観点から、個人ごとの情報の蓄積を避けたいという要望がある。こうした背景の下、個人ごとの情報を蓄積せずに、複合機等、情報処理装置の機能設定を個人の特性に合わせて変更する技術が求められている。
【０００５】
本発明は上記実情に鑑みて為されたもので、個人ごとの情報を蓄積せずに、機能等の設定を個人の特性に合わせて変更できる情報処理装置及びプログラムを提供することを、その目的の一つとする。
【課題を解決するための手段】
【０００６】
本発明の一態様に係る情報処理装置は、動作に関わる少なくとも一つの設定項目について、それぞれ設定値の入力を受け入れる手段と、前記受け入れた設定値の集合に対して、当該設定値の集合を識別する識別情報の入力を受け入れる手段と、前記受け入れた識別情報と、設定値の集合とを関連付けて格納する手段と、設定値の集合に係る識別情報を指定した設定指示により、当該指定された識別情報によって特定される設定値の集合に基づき、当該集合に含まれる設定値に係る各設定項目の設定を行う設定手段と、を含むことを特徴としている。
【０００７】
ここで前記設定手段は、設定値の集合に係る識別情報を複数指定した設定指示により、当該指定された各識別情報によって特定される各設定値の集合に基づき、当該集合のそれぞれに含まれる設定値に係る各設定項目の設定を行うこととしてもよい。
【０００８】
また本発明の別の態様はプログラムであって、情報処理装置に、動作に関わる少なくとも一つの設定項目について、それぞれ設定値の入力を受け入れる手順と、前記受け入れた設定値の集合に対して、当該設定値の集合を識別する識別情報の入力を受け入れる手順と、前記受け入れた識別情報と、設定値の集合とを関連付けて格納する手順と、設定値の集合に係る識別情報を指定した設定指示により、当該指定された識別情報によって特定される設定値の集合に基づき、当該集合に含まれる設定値に係る各設定項目の設定を行う設定手順と、を実行させることを特徴としている。
【発明の効果】
【０００９】
本発明によれば、個人ごとの情報を蓄積せずに、機能等の設定を個人の特性に合わせて変更できる。
【発明を実施するための最良の形態】
【００１０】
本発明の実施の形態について図面を参照しながら説明する。本発明の実施の形態に係る情報処理装置１は、例えば図１に例示する複合機であり、スキャナ部１０と、コントローラ部２０と、プリンタ部３０とを備えて構成される。またコントローラ部２０は、制御部２１と、記憶部２２と、インタフェース部２３と、操作部２４と、表示部２５と、通信部２６とを含む。なお、ここでは本実施の形態の情報処理装置は、複合機である場合を説明するが、これに限られず、本実施の形態の情報処理装置としては、例えばパーソナルコンピュータや、携帯電話機やパーソナルディジタルアシスタント（ＰＤＡ）を含む携帯端末、単体のプリンタや複写機等であってもよい。
【００１１】
スキャナ部１０は、フラットベッドスキャナであり、読取面に置かれた原稿を光学的に読み取り、当該読み取りの結果得られた画像データをコントローラ部２０に出力する。
【００１２】
コントローラ部２０の制御部２１は、ＣＰＵ等のプログラム制御デバイスであり、記憶部２２に格納されたプログラムに従って動作する。本実施の形態の制御部２１は、操作部２４から入力される利用者の指示に従って、スキャナ部１０を制御して原稿の画像データを取得し、当該取得した画像データを通信部２６を介して送信する処理を行い、スキャナ機能を実現する。また、通信部２６を介して画像データと画像形成指示とを受信し、当該画像形成指示に従って画像データを印刷するよう、プリンタ部３０に指示し、プリンタ機能を実現する。さらに、スキャナ部１０によって読み取らせた原稿の画像データを、プリンタ部３０に出力して、複写機としての機能を実現する。
【００１３】
本実施の形態においてはさらに、この制御部２１は、情報処理装置としての複合機の動作に関わる少なくとも一つの設定項目について、設定値の入力を受け入れ、当該受け入れた設定値のセット（集合）に対して、利用者の指定によって名称等の識別情報を付して記憶部２２に格納しておく。そして、この格納した設定値のセットを呼び出す指定に従い、情報処理装置の設定を変更する。この制御部２１の具体的な処理の内容については後に詳しく述べる。
【００１４】
記憶部２２は、ＲＡＭ（Random Access Memory）やＲＯＭ（Read Only Memory）、ハードディスク等のディスク装置等を含んで構成される。この記憶部２２には、制御部２１によって実行されるプログラムが格納される。また記憶部２２は、制御部２１のワークメモリとしても動作する。
【００１５】
インタフェース部２３は、スキャナ部１０と、プリンタ部３０とに接続される。制御部２１は、このインタフェース部２３を介して、スキャナ部１０やプリンタ部３０との間で情報を授受する。
【００１６】
操作部２４は、表示部２５に重ね合わせられた透明電極を備えたタッチパネルや、キーパッドなどを含む。この操作部２４は、利用者が行った操作の内容を制御部２１に伝達する。表示部２５は、液晶ディスプレイなどであり、制御部２１から入力される指示に従い、情報を表示する。プリンタ部３０は、コントローラ部２０から入力される指示に従い、用紙などの媒体に画像を形成する。
【００１７】
ここで制御部２１の具体的な処理の内容について述べる。制御部２１は、起動されると、ユーザインタフェースを表示するプログラムの実行を開始し、スキャナ部１０での読み取りや、複写などの指示を受け入れるユーザインタフェースを表示部２５に表示する。
【００１８】
また制御部２１は、上記プログラムと並列的に（マルチタスク）動作し、通信部２６を介して画像形成の指示を受け入れ、当該受け入れた画像形成指示に従ってプリンタ部３０を制御し、指示された画像の形成を行うプログラムの実行を開始する。
【００１９】
記憶部２２には、予め、これらのプログラムのほか、表示部２５に表示する画像を拡大して表示する拡大表示プログラムなど、種々のプログラムが格納されており、制御部２１が各プログラムの実行を行うことで、表示部２５に表示される画像を拡大表示するなどの種々の機能が提供される。
【００２０】
本実施の形態においては、スキャナ機能、複写機能、プリンタ機能、拡大表示の機能など、各プログラムにおいて、事前に定められている設定値や、利用者から指定された設定値が利用される。例えば複写機能において、原稿の画像を拡大・縮小して複写する機能が含まれている場合、設定項目として拡大・縮小率の初期値の設定値を指定しておく。そして制御部２１は、複写機能を実現するためのプログラムを実行しているときに、原稿の画像を拡大・縮小する指示を受けると、拡大・縮小率を設定するユーザインタフェースを表示部２５に表示するとともに、当該拡大・縮小率の設定値として、当初、上記指定された初期値を表示する。利用者は、この初期値をそのまま利用して原稿の拡大・縮小を伴う複写を行ってもよいし、拡大・縮小率を変更してもよい。
【００２１】
また本実施の形態においては、制御部２１は、利用者からこれら情報処理装置の動作に関わる設定値を保持するべき旨の指示を受けて、利用者が指定した設定項目についての設定値を記憶部２２に格納して保持する。
【００２２】
［設定値集合の作成］
例えば、この制御部２１は、利用者から少なくとも一つの設定項目に関する設定値を保持するべき旨の指示を受けると、図２に示す処理を開始し、まず設定値の集合（セット）を特定する情報の入力を求める（Ｓ１）。本実施の形態では、ここで保持される設定値の集合は、複合機１の他の利用者にも供されてもよい。そこで、この情報は、当該設定値の集合を好んで用いる利用者のグループを識別する名称としてもよい。例えば「Ａ地区、近眼／老眼グループ」などと入力すればよい。
【００２３】
制御部２１は、ここで入力された情報に基づいて、設定値の集合を識別する識別情報を生成する（Ｓ２）。例えば、複合機１のＵＲＩ（Uniform Resource Identifier）としての装置のＵＲＬ（Uniform Resource Locator）を用いてもよい。具体的な例として制御部２１がウェブサーバとしても動作するのであれば、当該ウェブサーバのＵＲＬ（ここでは
http://xyz.jp/とする）に、入力された情報を連接して、http://xyz.jp/Ａ地区、近眼／老眼グループというような識別情報を生成する。
【００２４】
さらに制御部２１は、この識別情報に関連づける設定値の集合の入力を求める（Ｓ３）。具体的な例としては、利用者に対して、設定項目と設定値との組の入力を求める。例えば利用者は、「プログラム起動」の設定項目について、表示部２５に表示する画像を拡大表示するための拡大表示プログラムを特定する設定値を設定し、当該拡大表示プログラムを起動する指示としてもよい。また、この拡大表示プログラムの動作に係る設定として、拡大表示の対象となる部分を設定する設定項目と、当該部分を規定する座標情報などの設定値とを入力してもよい。また、例えば拡大・縮小して複写を行う際の、拡大・縮小率の初期値の設定項目について、拡大率の設定値を入力するなど、プログラムの起動を伴わない設定を行ってもよい。
【００２５】
制御部２１は、利用者から設定値の集合の入力を受け入れると、識別情報と、入力された設定値の集合とを関連づけて、図３に示すように、記憶部２２に保持する（Ｓ４）。また、制御部２１は、識別情報を利用者に提示する（Ｓ５）。ここで識別情報は、例えば文字列として表示してもよいし、ＵＲＬへのリンクとして電子メールにて、指定された宛先へ送信してもよい。さらに、当該識別情報を記述した画像をプリンタ部３０にて形成させてもよい。この際の画像は、バーコードなどコンピュータ可読な符号画像であってもよい。
【００２６】
さらにここで利用者に提示する情報は、識別情報ではなく、別途発行したグループ識別子であってもよい。このようにグループ識別子を発行する場合は、グループ識別子と識別情報（あるいは設定値の集合）とを関連づけたテーブルを記憶部２２に格納しておく。
【００２７】
さらに、制御部２１は、設定値の集合に関連して、アイコン（目印となるイメージ）の指定を利用者から受けて、当該指定されたアイコンを、設定値の集合（あるいは識別情報）に関連づけて保持し、処理Ｓ５において、このアイコンも利用者に提示するようにしてもよい。ここでアイコンのイメージは、例えばスキャナ部１０から読み込ませることとしてもよいし、予めアイコンの候補として記憶部２２に複数のアイコン候補を格納しておき、利用者がその候補から選択できるようにしておいてもよい。この場合、一度他のグループ（設定値の集合）に関連して選択されたアイコンについては、選択できないようにしてもよい。
【００２８】
さらに制御部２１は、この設定値の集合に対して利用者による説明文を受け入れてもよい。例えば利用者は、「Ａ地区、近眼・老眼グループ」とした設定値の集合に対し、「近眼、老眼の方のために、画面の主要部を拡大表示する設定としています」などといった説明文を入力する。制御部２１は、この説明文の情報を、各設定値の集合（またはその識別情報）に関連づけて記憶部２２に格納しておく。
【００２９】
［設定値集合の利用］
本実施の形態の情報処理装置としての複合機１を利用する利用者は、自ら、または他の利用者が作成した設定値の集合を呼び出して利用することとなる。すなわち制御部２１は、当初は、予め定められたプログラム（スキャナ機能や複写機能、プリンタ機能を実現するプログラムなど）を起動し、また、予めデフォルト値として定められている設定値を、各プログラムの設定値として記憶部２２のワークメモリに記憶する。例えば、拡大・縮小を伴う複写を行う際の、拡大・縮小率のデフォルト値が「１００％」として定められ、記憶部２２に格納されている場合、制御部２１は、このデフォルト値を拡大・縮小率の初期値である旨の設定項目として、ワークメモリに複写して、設定値として利用する。
【００３０】
制御部２１は、また、設定値の集合を特定する情報として識別情報（またはグループ識別子）の入力を受けて、当該識別情報（またはグループ識別子に関連づけられた識別情報）に関連づけて保持されている設定値の集合を記憶部２２から読み出す。
【００３１】
そして、当該設定値の集合を参照してプログラムの起動指示が含まれていれば、当該指示されたプログラムを起動する。プログラムの動作設定に関わる設定項目に関連づけられた設定値が含まれていれば、当該設定項目として、ワークメモリに格納されている設定値に代えて、ここで読み出した設定値の集合に含まれる設定値を上書きする。例えば、拡大・縮小を伴う複写を行う際の、拡大・縮小率の初期値が、「１００％」としてワークメモリに格納されているとき、ここで読み出した設定値の集合に、拡大・縮小率の初期値の設定項目として、「２００％」の設定値が含まれていれば、制御部２１は、この設定値を拡大・縮小率の初期値である旨の設定項目として、ワークメモリに複写する。
【００３２】
この状態で利用者が拡大・縮小を伴う複写を行う旨の操作を行うと、拡大・縮小率の初期値として「２００％」が設定される。
【００３３】
［設定値集合の検索］
制御部２１は、また利用者から設定値の集合を検索する旨の指示とともに、検索の鍵となるキーワードの入力を受けて、当該キーワードを、記憶部２２に格納されている識別情報、またはグループ識別子、または入力された説明文の情報から検索する。そして検索の結果、当該キーワードを含む情報が見出されれば、当該情報に関連づけられた設定値の集合の一覧を表示部２５に表示し、利用する設定値の集合を選択させてもよい。
【００３４】
［複数の設定値集合の指定］
また制御部２１は、利用する設定値の集合として、複数の設定値の集合の指定を受けてもよい。この場合、制御部２１は、次のように設定項目ごとの設定値を定める。
【００３５】
すなわち、制御部２１は、指定された複数の設定値の集合に含まれる設定項目ごとに、当該設定項目に関連づけられた設定値が複数あるか否かを調べる。具体的な例として、「Ａ地区、近眼／老眼グループ」において、拡大・縮小率の初期値が「２００％」、用紙サイズの初期値が「Ｂ４」と設定されており、「Ａ地区、営業グループ」として、用紙サイズの初期値が「Ａ４」と設定されているとする。
【００３６】
この場合に、利用者が「Ａ地区、近眼／老眼グループ」と「Ａ地区、営業グループ」との双方を指定すると、拡大・縮小率の初期値については「Ａ地区、近眼／老眼グループ」にのみ設定値が含まれるが、用紙サイズについては双方に設定値が含まれると判断される。
【００３７】
制御部２１は、指定された複数の設定値の集合のいずれか一つにのみ含まれる設定項目の設定値については、当該設定項目については当該設定値を用いる。
【００３８】
また、指定された複数の設定値の集合に、設定項目の設定値が複数含まれている場合は、そのうちいずれかを、予め定められた（または別途指定された）選択条件に基づいて選択し、当該設定項目については、この選択した設定値を用いる。
【００３９】
ここで選択条件は、例えば、予め設定値の集合ごとに定められた優先順位の高いものを選択する条件としてもよい。この場合は、記憶部２２に予め、設定値の集合の優先順位の情報を格納しておく。
【００４０】
また、この優先順位の情報は、例えば時間帯などによって変更されてもよい。また複数の設定値の集合を指定した利用者が、当該指定の際に優先順位を定めてもよい（例えば指定の順序などによって定めるなどとすればよい）。このように利用者が優先順位を指定する場合は、記憶部２２に予め設定値の集合の優先順位を保持しておく必要は必ずしもない。
【００４１】
さらに、制御部２１は、過去の利用履歴を記録しておき、この利用履歴に基づいてここでの優先順位を定めてもよい。ここで利用履歴は、例えば設定項目ごとに、過去に実際に利用された設定値（実際に利用者が用いた設定値）と、その利用回数とを関連づけたものを、記憶部２２に記録しておけばよい。例えば、用紙サイズの設定値として実際に利用された値が、「Ａ４」が１００回、「Ｂ４」が１０回…と記録されている場合、このうち最も多く設定された設定値（または最も多く設定された値に最も近い設定値）を選択的に利用することとする。
【００４２】
さらに複数の設定値の集合に関連づけて、一つの識別情報を生成してもよい。この場合、制御部２１は、図４に示すように、識別情報に関連づけて複数の設定値の集合の個々の識別情報の一覧を、記憶部２２に格納する。そして、この識別情報が指定されたときには、制御部２１は、当該識別情報に関連づけられた複数の識別情報を取得し、当該取得した各識別情報に関連づけられた、複数の設定値の集合を参照して、上述のように設定を行う。
【００４３】
［複数の装置の例］
さらに本実施の形態の情報処理装置１を、ネットワークなどの通信手段を介して、複数接続し、互いに通信可能な状態としておき、いずれかの情報処理装置１にて生成された設定値の集合を他の情報処理装置１にて利用できるようにしてもよい。
【００４４】
この場合、各情報処理装置１の制御部２１は、他の情報処理装置１から設定値の集合を特定する情報とともに、当該情報で特定される設定値の集合の要求を受けて、当該要求されている設定値の集合を記憶部２２から読み出し、要求元の情報処理装置１宛に送信する。
【００４５】
例えば、既に説明したように、設定値の集合の識別情報が、当該設定値の集合を保持する情報処理装置１のＵＲＬを含んで構成されている場合、設定値の集合を要求する側の制御部２１は、当該ＵＲＬに対してそのまま要求を行えばよい。そして要求を受ける側の制御部２１は、当該要求に応じて、ＵＲＬに示されたプロトコルに従って設定値の集合を返信すればよい。
【００４６】
要求をする側の制御部２１では、当該要求に応じて送信された設定値の集合を受信し、当該設定値の集合を参照し、既に説明した、記憶部２２から読み出した場合と同様に処理を行えばよい。すなわち、受信した設定値の集合にプログラムの起動指示が含まれていれば、当該指示されたプログラムを起動する。またプログラムの動作設定に関わる設定項目に関連づけられた設定値が含まれていれば、当該設定項目として、ワークメモリに格納されている設定値に代えて、ここで受信した設定値の集合に含まれる設定値を上書きする。例えば、拡大・縮小を伴う複写を行う際の、拡大・縮小率の初期値が、「１００％」としてワークメモリに格納されているとき、ここで受信した設定値の集合に、拡大・縮小率の初期値の設定項目として、「２００％」の設定値が含まれていれば、制御部２１は、この設定値を拡大・縮小率の初期値である旨の設定項目として、ワークメモリに複写する。
【００４７】
［サーバに格納する例］
さらに情報処理装置１相互間で設定値の集合を授受する代わりに、情報処理装置１と通信可能なファイルサーバなどを設け、このファイルサーバ等に、識別情報に関連づけて設定値の集合を格納してもよい。また、このファイルサーバ等には、識別情報（やそれに関連して指定されたアイコンなど）を格納しておき、ファイルサーバ等に格納された識別情報等を参照して、利用者が使用する設定値の集合を指定したときには、当該指定された識別情報に基づいて、当該識別情報に含まれるＵＲＬを用い、他の情報処理装置１または自己自身から設定値の集合を取得することとしてもよい。
【００４８】
［非対応装置で利用する場合］
なお、このように複数の情報処理装置１間で設定値の集合を共用する場合は、設定値の集合を作成した側の情報処理装置１では利用可能な設定であっても、設定値の集合を利用する側の情報処理装置１では利用不能な設定が含まれている場合もある。このような場合に配慮して、制御部２１は、指定された設定値の集合に含まれる設定項目と設定値の組において、利用不能なものがあるときには、その旨を表示部２５に表示するなどして利用者に報知する。そして当該設定項目と設定値の組を無視して、他の設定項目と設定値とを利用して設定を行うこととしてもよい。
【００４９】
例えば、カラーでの画像形成機能を備えない情報処理装置１において、他の情報処理装置１で設定された設定項目として「カラー設定」、設定値「カラー」との設定を含む設定値の集合を受信した場合、この設定値の集合を受信した側の制御部２１では、当該設定項目を用いないよう制御する。
【００５０】
［設定値の集合の有効範囲］
また作成した設定値の集合については、その有効範囲を設定してもよい。ここで有効範囲は、地理的、時間的条件として設定されてもよい。例えば、設定値の集合を作成した利用者は、当該設定値の集合に対して、有効範囲として、当該設定値の集合を利用可能な装置の機種名や、特性（処理速度、取り扱い可能な用紙サイズの最大値など）を指定しておく。この有効範囲の指定を受けた制御部２１は、指定の対象となった設定値の集合に対して、この有効範囲の情報を関連づけて格納しておく。
【００５１】
そして、制御部２１は、他の情報処理装置１から当該設定値の集合の要求を受けると、当該要求された設定値の集合と、有効範囲の情報とを要求元へ送信する。そして要求元となった情報処理装置１の制御部２１では、有効範囲の情報を受信すると、当該有効範囲によって定められた条件を、自装置が満足するか否かを調べる。例えば有効範囲として機種名が「ＸＹＺ」と定められているとき、自装置が「ＸＹＺ」であれば、当該有効範囲の情報とともに受信した設定値の集合を用いた設定を実行する。また自装置が「ＸＹＺ」でなければ、当該有効範囲の情報とともに受信した設定値の集合を破棄して、利用者に対して、利用できない旨を報知する。
【００５２】
また、有効範囲の条件としては、暦（有効期限日や、利用可能な曜日、月、期間など）や時間であってもよい。この場合、この有効範囲の情報を受信した制御部２１では、当該有効範囲の条件を満足するか否かを、装置に内蔵しているカレンダーチップや、時計などの情報に基づいて判断し、条件を満足するときに、当該有効範囲の情報とともに受信した設定値の集合を用いた設定を実行する。
【００５３】
さらに有効範囲の条件としては、利用頻度や、利用人数などによって定めてもよい。この場合、有効範囲の条件が付された設定値の集合を保持する情報処理装置１の制御部２１は、当該設定値の集合が読み出された（送信された）回数や頻度（一日あたりの回数など）をカウントして記録しておく。そして、当該回数や頻度が、有効範囲として定められた条件を満足しない場合は、読み出しや送信を行わないよう制御する。
【００５４】
例えば利用人数を「１００名まで」と設定しておく場合、読み出し（または送信）回数が「１００」となるまでは、当該設定値の集合を読み出す。そして、読み出し（または送信）回数が「１００」を超えたときには、当該設定値の集合を読み出さずに、有効範囲外である旨を報知する。
【００５５】
［別の利用例］
また、本実施の形態の情報処理装置１は、例えば次のように利用することもできる。すなわち、制御部２１によって実行可能なプログラムとして、指定された場所（ネットワークなどを介して取得可能な場所であってもよい）から画像データを読み出し、当該読み出した画像データを形成するプログラム（指定画像印刷プログラム）を記憶部２２に格納しておく。
【００５６】
また、プログラム起動する設定項目に対して、上記の指定画像印刷プログラムを指定する設定値を関連づけておく。そして、「商品案内」との識別情報を設定しておく。さらに設定者は、上記画像データとして商品案内の画像データを、指定の場所に格納しておく。
【００５７】
このようにすると、当該「商品案内」を指定した利用者が、商品案内の印刷画像を取得できることとなる。また、この場合に、アイコンとして、当該商品案内に掲載された商品の販売元の企業ロゴを用いてもよい。
【００５８】
［効果］
本実施の形態によると、個人ごとの情報を蓄積せずに、グループとして指定され、格納された設定値の集合を用いることで、機能等の設定を個人の特性に合わせて変更できる。
【図面の簡単な説明】
【００５９】
【図１】本発明の実施の形態に係る情報処理装置の一例を表す構成ブロック図である。
【図２】本発明の実施の形態に係る情報処理装置の動作例を表すフローチャート図である。
【図３】本発明の実施の形態に係る情報処理装置の設定値の集合の保持例を表す説明図である。
【図４】本発明の実施の形態に係る情報処理装置の複数の設定値の集合に識別情報を割り当てた場合の情報保持例を表す説明図である。
【符号の説明】
【００６０】
１  情報処理装置、１０  スキャナ部、２０  コントローラ部、２１  制御部、２２  記憶部、２３  インタフェース部、２４  操作部、２５  表示部、２６  通信部、３０  プリンタ部。
【図１】
2008084067.tif 000003
【図２】
2008084067.tif 000004
【図３】
2008084067.tif 000005
【図４】
2008084067.tif 000006